(57)【要約】【課題】  ボイラとボイラを内部で吊り下げて支持する支持構造物を、安全面において問題がなく、容易且つ迅速に解体することのできる解体方法を提供すること。【解決手段】  支持構造物１２及びボイラ１０と、支持構造物１２の周囲に設置された配置物との間の結合部を切り離す分離工程と、支持構造物１２を、支持高さ位置の調整可能な複数の支持装置４２を設置することにより、ボイラ１０及び支持構造物１２を支持する支持工程と、支持工程による支持状態を維持しつつ、ボイラ１０及び支持構造物１２の、支持装置４２による支持高さ位置より下方部分を除去する除去工程と、支持装置４２による、ボイラ１０及び支持構造物１２の支持高さ位置を下降させる下降工程と、を備え、支持工程と除去工程と下降工程とを繰り返し、ボイラ１０及び支持構造物１２をその下側から順次除去して解体する。【選択図】図１
2008088751.tif 000002
【特許請求の範囲】
【請求項１】
ボイラ及び該ボイラを内部で吊り下げて支持する支持構造物を解体する方法において、
前記支持構造物及び前記ボイラと、前記支持構造物の周囲に設置された配置物との間の結合部を切り離し、前記ボイラ及び前記支持構造物を前記配置物から分離する分離工程と、
前記支持構造物を所定の高さ位置でそれぞれ支持する支持高さ位置調整可能な複数の支持装置を設置することにより、前記ボイラ及び前記支持構造物を下方から支持する支持工程と、
該支持工程による支持状態を維持しつつ、前記ボイラ及び前記支持構造物の前記支持装置の支持高さ位置より下方部分を除去する除去工程と、
該除去工程終了後、前記支持装置による前記ボイラ及び前記支持構造物の支持高さ位置を下降させる下降工程と、を備え、
前記支持工程と前記除去工程と前記下降工程とを繰り返し、前記ボイラ及び前記支持構造物をその下側から順次除去して解体することを特徴とするボイラ及び支持構造物の解体方法。
【請求項２】
前記支持装置は、
所定範囲で略鉛直方向に伸縮可能な伸縮部を有し、前記支持装置による前記ボイラ及び支持構造物の支持が、前記伸縮部を伸長させて、該伸縮部の上端部を前記支持構造物の構成部位に下方から押し当てて行なわれることを特徴とする請求項１に記載のボイラ及び支持構造物の解体方法。
【請求項３】
前記繰り返しにおける支持工程は、
その時点で前記支持を行なっている支持装置とは別の新たな支持装置を複数箇所に設置し、該新たな支持装置により、現支持高さよりも高い位置で支持する新支持作業により行なわれることを特徴とする請求項１又は２の何れか１項に記載のボイラ及び支持構造物の解体方法。
【請求項４】
前記繰り返しにおける支持工程は、
前記支持を行なっている支持装置の内、一部の支持装置が支持している前記ボイラ及び前記支持構造物の下部部分を除去する部分除去作業と、
前記一部の支持装置の前記伸縮部を伸長させ、前記支持構造物を下方から再度支持する再支持作業と、を有し、
支持動作中の全ての支持装置の前記部分除去作業と再支持作業とが終了するまで部分除去作業と、再支持作業とを繰り返して行い、
その後、前記除去工程と前記下降工程とを繰り返すことを特徴とする請求項１又は２の何れか１項に記載のボイラ及び支持構造物の解体方法。
【請求項５】
前記除去工程を行う時に、前記ボイラ内部が負圧に設定されることを特徴とする請求項１〜４の何れか１項に記載のボイラ及び支持構造物の解体方法。
【発明の詳細な説明】
【技術分野】
【０００１】
本発明は、ボイラ及び該ボイラを内部で吊り下げて保持する支持構造物を解体する方法に関する。
【背景技術】
【０００２】
例えば、火力発電所では、発電用のタービンを回すため、或いはその他の必要なエネルギーを得るために、密閉された機器から高温高圧の蒸気を発生させる装置としてボイラが使用される。このボイラの設置方法には種々のものがあるが、大型のボイラでは、支持構造物の内部において、該支持構造物の上部からこのボイラを下方に吊り下げて保持するいわゆるトップサポート方式が広く採用されている。
【０００３】
図４は、民間及び電力会社の火力発電所で使用されるボイラを示した説明図（断面図）である。ボイラ１０は、通常１０００トンを超える重量を有しており、その設置には上述したトップサポート方式がとられている。ボイラ１０は、発電に使用される通常のボイラの構造を有している。すなわち、ボイラ１０は、火炉部３０と後伝部３２とで主に構成されており、火炉部３０の内部は空洞となっている。そして、火炉部３０の側部壁に設置された複数のバーナー（図示せず）を使用して火炉部３０内部で燃料を燃焼させ、燃焼ガスを発生させるものである。後伝部３２は、火炉部３０の側方に位置し、上部で火炉部３０と連通した構成を有している。後伝部３２内部も空洞に形成されており、この空洞部に、例えば水を過熱して蒸気にする複数の過熱器３４（過熱器３４−１〜３４−５）等が設置されている。
【０００４】
火炉部３０内部で発生した燃焼ガスは、図示した矢印２００、２０２の方向に流れ、この燃焼ガスの熱を過熱器３４で熱交換し、発電用のタービンを回す等して電気的エネルギーを得る。また、過熱器３４で熱交換された燃焼ガス、すなわち、温度が低下した燃焼ガスは、煙道３６を通り、更に図示していない電気集塵器を通過する。ここで、過熱器３４の具体例としては、内部に水や蒸気を通すパイプが屈曲して形成された過熱器（スーパーヒーター）や、これと同様の構成を有する節炭器（エコノマイザー）等が例示される。
【０００５】
上述のようにボイラ１０を内部で吊り下げて支持する支持構造物１２は、側面を形成する側部１４と天井面を形成する天井部１６とで主に構成されている。側部１４は、支持構造物１２の設置面１８から縦方向に設けられた複数本の柱２０と、柱２０間を横方向に連結する横梁２２を有しており、通常これらは鉄骨製である。天井部１６には、鉄骨製の天井梁２６が設けられ、天井梁２６に一端が固定された複数の吊り棒２８によりボイラ１０を天井梁２６から下方に吊り下げている。
【０００６】
図５は、火炉部３０を構成する火炉壁３８の構成を説明した図である。図示のように、火炉壁３８は、ボイラ壁の一部であり、金属製の外壁３８ａと、外壁３８ａの内側（火炉部３０の内周側）に施され、耐火材料（耐火物）で構成された内壁３８ｂとを有している。ここで、耐火材料にはアスベストが含まれている場合が多い。そして、内壁３８ｂの内側には、内部に熱交換用の液体や蒸気を通す熱交換用パイプ３８ｃが施されており、これにより、火炉壁においても熱交換を行うものである。なお、後伝部３２を構成する後伝壁も内部に耐火物が施されている場合が多い。
【０００７】
ここで、より高い燃焼効力を有する構造の新しいボイラに取替える等の理由により、上述した大型のボイラ１０とこれを支持する支持構造物１２を解体する必要が最近になって生じてきている。
【０００８】
大型ボイラ１０及び支持構造物１２を解体する従来技術としては、先ず、ボイラ１０を吊り棒２８による吊り下げ状態のまま周囲に足場などを組み、その足場上でボイラ１０の下部から構成部材を少しずつ切断して行く方法がある（第１の従来技術）。この場合、切断した構成部材は、切断した位置から直接グランド（地面）に落下させて処理を行なう。  そして、ボイラ１０の解体終了後、残存部位である支持構造１２を上部から切断除去して行く。ここで、支持構造１２の切断した構成部材は、ボイラ１０の切断除去の場合と同様、切断した位置から直接グランドに落下させるか、又はクレーン等を使用して吊り下げた状態で下降される。
【０００９】
ボイラ及びボイラの支持構造物（ボイラ建屋）を解体する他の技術が特許文献１に開示されている（第２の技術例）。同文献に開示された技術では、ボイラ及びボイラ建屋の解体を、主としてＡ工程〜Ｅ工程の５工程で行っている。すなわち、先ず、Ａ工程で、ボイラ（１）を吊す部位である本設梁３上で、ジャッキ（５）を所定状態に設置する（同文献図２参照乞う）。次に、同文献の図４に示されているように、ジャッキ（５）の伸長部であるワイヤ（吊り材）６を本設梁３に掛止する（Ｂ工程）。
【００１０】
次に、同文献の図６に示されているように、本設梁３の、ボイラ１を実際に吊っている領域をボイラ建屋から切り離す（Ｃ工程）。この状態では、ボイラ（１）は、切り離された本設梁３とこれに掛止されたワイヤ６とを介して、ボイラ建屋の上部に残っているジャッキ（５）で吊るされた状態となる。
【００１１】
そして、同文献の図７、８に示されているように、ジャッキ（５）の操作によりボイラ（１）を下降させつつ、ボイラ（１）を下部から除去して行く（Ｄ工程、Ｅ工程）。そして、ボイラ（１）の解体終了後、同文献の図１０のように、ボイラ（１）が除去されたボイラ建屋を上部から解体するものである（Ｆ工程）。
【００１２】
【特許文献１】特開平１１−２７０１５４
【発明の開示】
【発明が解決しようとする課題】
【００１３】
上述した、第１の従来技術及び第２の技術例の何れの技術でも、解体手順として、先ずボイラを全て除去し、この後に支持構造物を上部から解体する必要がある。すなわち、両従来技術とも、ボイラの解体除去とボイラを支持する支持構造物の解体除去とをそれぞれ時を異にして別の工程で行う必要がある。このため、ボイラと支持構造物とを合わせた全体の解体工程が長期間を要するものとなる。また、ボイラを除去するための工程と、支持構造物を除去するための工程で必要となる装置の準備や後処理がそれぞれ個別に必要となり、全体としての作業が煩雑なものとなる。更に、第１の技術例においては全般的に、第２の技術例ではボイラを除去するためのジャッキの設置等の準備段階（Ａ〜Ｃ工程）と、支持構造物の除去作業時（Ｆ工程）に、高所作業が発生し、このため、解体作業に危険が伴うことになる。
【００１４】
本発明は、上記事情に鑑みてなされたものであり、その目的は、高所作業をなくし、安全で容易且つ迅速に行うことのできる大型ボイラとボイラの支持構造物の解体方法を提供することにある。
【課題を解決するための手段】
【００１５】
上記目的を達成するため、請求項１に記載のボイラ及び支持構造物の解体方法は、
ボイラ及び該ボイラを内部で吊り下げて支持する支持構造物を解体する方法において、前記支持構造物及び前記ボイラと、前記支持構造物の周囲に設置された配置物との間の結合部を切り離し、前記ボイラ及び前記支持構造物を前記配置物から分離する分離工程と、前記支持構造物を所定の高さ位置でそれぞれ支持する支持高さ位置調整可能な複数の支持装置を設置することにより、前記ボイラ及び前記支持構造物を下方から支持する支持工程と、該支持工程による支持状態を維持しつつ、前記ボイラ及び前記支持構造物の前記支持装置の支持高さ位置より下方部分を除去する除去工程と、該除去工程終了後、前記支持装置による前記ボイラ及び前記支持構造物の支持高さ位置を下降させる下降工程と、を備え、前記支持工程と前記除去工程と前記下降工程とを繰り返し、前記ボイラ及び前記支持構造物をその下側から順次除去して解体することを特徴とする。
【００１６】
これにより、ボイラとボイラの支持構造物全体を下方から支持しつつ下部からほぼ同時に除去解体することができる。従って、ボイラの解体作業を待ってその後、支持構造物を別個に解体する必要がなく、全体として解体作業を迅速に行うことができる。そして、解体除去作業が、除去工程により、ボイラと支持構造物の下方部分から除去して行われ、この除去が地面（設置面）に近い位置での作業で可能であり、全工程において高所作業がほとんど発生しない。従って、解体作業の安全性が確保される。更に、除去工程で除去したボイラと支持構造物の下方部分の、解体作業場からの運搬も容易な手段で可能となり、除去部分の迅速な処理が達成される。
【００１７】
請求項２に記載のボイラ及び支持構造物の解体方法は、
前記支持装置は、所定範囲で略鉛直方向に伸縮可能な伸縮部を有し、前記支持装置による前記ボイラ及び支持構造物の支持が、前記伸縮部を伸長させて、該伸縮部の上端部を前記支持構造物の構成部位に下方から押し当てて行なわれることを特徴とする。
【００１８】
これにより、支持工程における支持装置による支持構造物の支持が、伸縮部を伸長させるという容易な操作で可能となる。また、下降工程では、伸縮部を収縮させることにより、ボイラと支持構造物を下降させることができる。このように、伸縮部が上下に動くだけで、ボイラ及び支持構造物の支持状態の形成と、下降工程を行なうことができ、敷地内での作業が容易なものとなる。
【００１９】
請求項３に記載のボイラ及び支持構造物の解体方法は、
前記繰り返しにおける支持工程は、その時点で前記支持を行なっている支持装置とは別の新たな支持装置を複数箇所に設置し、該新たな支持装置により、現支持高さよりも高い位置で支持することにより行なわれることを特徴とする。
【００２０】
この構成は、支持装置をそれぞれ１群で全体構造物を支持可能な２つの群を用いる様にしたものである。その２つの支持装置群により交互に、支持工程、下降工程、除去工程を繰り返すものである。これにより、複数の支持装置を用いた作業の円滑化と、ボイラと支持構造物の安定した支持状態の維持が可能となり、作業の安全化にも貢献する。
【００２１】
請求項４に記載のボイラ及び支持構造物の解体方法は、
前記繰り返しにおける支持工程は、前記支持を行なっている支持装置の内、一部の支持装置が支持している前記ボイラ及び前記支持構造物の下部部分を除去する部分除去作業と、前記一部の支持装置の前記伸縮部を伸長させ、前記支持構造物を下方から再度支持する再支持作業と、を有し、支持動作中の全ての支持装置の前記部分除去作業と再支持作業とが終了するまで部分除去作業と、再支持作業とを繰り返して行い、その後、前記除去工程と前記下降工程とを繰り返すことを特徴とする。
【００２２】
この構成は、最初に設置した１つのグループの支持装置群をそのまま使用するものであり、繰り返しにおける支持工程（再指示作業）をその支持装置群の中の一部の支持装置ずつ順次行い、全体の支持装置による支持位置を上げて行くものである。したがって、途中で新たな支持装置を設置する作業を行う必要がなく、作業の円滑性を向上させることができる。
【００２３】
請求項５に記載のボイラ及び支持構造物の解体方法は、前記除去工程を行う時に、前記ボイラ内部が負圧に設定されることを特徴とする。
【００２４】
これにより、除去工程における、ボイラの除去作業時に、ボイラ壁を構成する金属や耐火物の粉がボイラ外部に噴出すことがなく、ボイラ内部に吸引されることとなる。従って、除去工程における作業で環境面での問題が発生することを確実に防止できる。ここで、ボイラ内部を負圧に設定する方法としては、吸引管をボイラ上部に設け、これによりボイラ内部の空気を上方から吸引する方法が例示される。
【発明の効果】
【００２５】
本発明のボイラ及び支持構造物の解体方法によれば、ボイラと支持構造物とを同時に下降させつつ、更にその下側からほぼ同時に除去して行くことができる。従って、下方位置での解体作業が可能となり、高所での作業がほぼ解消され、安全性の高い解体作業を行うことができる。また、ボイラと支持構造物をほぼ同時に解体できることから、作業の容易性や低廉性も向上する。
【発明を実施するための最良の形態】
【００２６】
次に、本発明の実施の形態について、図面に基づいて詳細に説明する。図１（Ａ）、（Ｂ）及び図２（Ａ）、（Ｂ）は、本発明の実施の形態にかかるボイラ及び支持構造物の解体方法の手順を示す説明図である。本実施の形態では、ボイラ１０と支持構造物１２を解体するために支持装置４２で構成される１つの支持装置群と支持装置４４で構成される他の支持装置群とを使用している。
【００２７】
本実施の形態は、上述した図４の従来のボイラ１０と支持構造物１２を解体する状況を例として説明するが、支持構造物１２の構造は図示の明瞭化のため形態を変更して示しており、ボイラ１０等の構成も概略形状のみを示している。なお、支持構造物１２には、最下段に位置する横梁２２−１から最上段に位置する横梁２２−９まで９段の横梁２２が設けられている。
【００２８】
まず、図１（Ａ）は、最初に行なわれる工程である分離工程及びこれに続く支持工程が完了した状態を示している。分離工程では、支持構造物１２及びボイラ１０と、支持構造物１２の図上右側に設置された配置物（図示せず）との間の結合部、すなわち煙道３６を図中一点鎖線Ｌ１で示した部位で切り離している。本実施の形態では、切り離しは、例えばガスバーナーによる切断等で行なわれる。
【００２９】
次に、支持工程では、その開始動作として、まず、複数の支持装置４２を支持構造物１２の設置面１８上に分散して設置する。設置位置は、柱２０の真下位置や梁２２の下にバランス良く配置し、この配置した支持装置群のみで支持構造物１２及びボイラ１０を下方から支持可能な位置が選択される。
【００３０】
ここで、使用する支持装置４２は、例えば、径の異なる複数の筒状体で構成された伸長部４２ａを有している。伸長部４２ａは、通常は、各筒状体が互いに重なりあって収納された収縮状態となっている。そして、油圧等により径の小さい筒状体が径の大きい筒状体の上に伸長し、全体として伸長部４２ａが略鉛直方向に伸長する（本実施の形態では数メートル程度）構成になっている。支持動作は、この伸長部４２ａを伸長させることによりボイラ１０及び支持構造物１２全体を所望の高さ位置で下方から押し上げることにより行い、支持構造物１２の規模に応じて、例えば１０〜４０台の支持装置４２が用いられる。
【００３１】
まず、支持にあたっては、支持装置４２の設置スペースを確保するために支持構造物１２の部分的な除去を行う。そして、図上破線で示した除去部分１９に支持装置４２が設置される。支持高さ位置は、通常、設置地盤から数メートルの高さ位置であり、本実施の形態では、横梁２２−２の位置とされている。
【００３２】
支持装置４２は、柱２０の部分や梁２２の部分にバランス良く形成されており、支持装置４２の伸縮部４２ａを伸長させ、横梁２２−２の下部と、除去部分１９により形成された柱２０の下端部に下方から押し当てて支持状態を形成している。このようにして支持工程が終了した時点では、支持構造物１２は、支持装置４２によって安定支持された状態が確保されている。本実施の形態では、図１における正面視で、６台の支持装置４２が設置されており、支持構造物１２の全体では２０数台の支持装置４２が設置されている。すなわち、第１の支持装置群として２０数台の設置となる。
【００３３】
そして、この後、除去工程と下降工程が行われるが、除去工程では、支持装置４２により支持されたボイラ１０及び支持構造物１２の下側部分から除去作業を行っていく。本実施の形態では、図１（Ａ）に一点鎖線Ｌ２で示した高さ位置（設置面１８から１〜２ｍの高さ）にて、ガスバーナーを使用して、ボイラ１０及び支持構造物１２を切断することにより除去工程を行う。また、除去工程で除去した部分は、例えば運搬車等に載せ適宜解体作業場から運搬される。
【００３４】
上記高さ位置Ｌ２までの除去工程が終了した時点では、ボイラ１０と、支持構造物１２は、支持装置４２に下方から支持された状態で、一点鎖線Ｌ２の高さより低い部分が存在しない状態となる。この状態で、下降工程を行うが、下降工程は支持工程と異なり、全ての支持装置４２全体を同時に同速度で下降させて行われる。すなわち、全ての支持装置４２の伸縮部４２ａを収縮させ、ボイラ１０及び支持構造物１２の平衡を保ちながら支持高さ位置を下降させる。この下降工程によるボイラ１０及び支持構造物１２の下降量は、除去工程で除去を行った後のボイラ１０と支持構造物１２の下端部と設置面１８との間に所望の間隙を残す程度に行なう。
【００３５】
この下降工程が行われた状態で、更に除去工程を行い、１群の支持装置４２が最下降位置（最も収縮した状態）まで来た時、新たな１群の支持装置４４を順次設置していく。図１（Ｂ）は、支持装置４２で支持した横梁２２−２の位置（図上Ｌ３）が支持装置４２の再下降位置まで下降し（図上破線で示している）、その状態で、新たな一群の支持装置４４が、横梁２２−３の位置で支持するように設置された（新支持作業が行われた）状態が示されている。この後、横梁２２−３より下側部分を除去し（除去工程）、支持装置４４を下降させる。
【００３６】
なお、新たな１群の支持装置４４の配置も上述した支持装置４２の配置と同様に支持装置４４によりボイラ１０及び支持構造物１２をバランス良く支持することのできる位置に行われる。また、新支持作業は、支持状態の安定を図りつつ行うのが好適であり、支持装置４４を１台ずつ対応する箇所に除去部分１９を形成しながら、その伸縮部４４ａを伸長させて行くことが行われる。
【００３７】
この新支持作業後の状態で、除去工程と下降工程が支持装置４４が最下降位置に来るまで繰り返される。なお、図１（Ａ）に示した支持工程で使用した支持装置４２は、伸部４２ａを収縮させた状態で、図１（Ａ）に示した位置にそのまま残されている。そして、次に、一群の支持装置４２による新支持作業が、上述の動作と同様に行われ、その後、下降、除去の各工程と他の一群の支持装置４４による新支持作業が繰り返される。
【００３８】
図２（Ａ）、（Ｂ）は、上述した２つの群による交互の支持工程と除去工程と下降工程とを繰り返し行うことにより、ボイラ１０と支持構造物１２の解体作業が途中まで進行した状態を示している。図２（Ａ）は、解体の途中段階で支持装置４４による支持から支持装置４２による支持に移行している状況が示されている。図２（Ｂ）は、図２（Ａ）に示した状態から除去工程と下降工程とを行い、次の支持装置４４による新支持作業が行われている状態が示されている。このように、二つの支持装置群による支持工程、除去工程、下降工程を繰り返し行なうことで、ボイラ１０及び支持構造物１２の全体を同時進行で順次除去解体して行くことができる。
【００３９】
また、各支持工程間で行なわれる除去工程と下降工程の実施回数は、複数回であっても良く、また１回のみであっても良い。また、支持装置４２の伸縮部４２ａ等で支持する部位は、柱２０や梁２２には限られず、例えば支持用の支持要素を支持構造物１２に予め設け、この部位で支持しても良い。
【００４０】
更に、各支持装置４２，４４の動作は、各支持装置毎に個別にオンオフ作業しても良いが、全体を総合的に制御する制御部を設け、下降工程の全体による同時下降動作や、支持工程の個別の支持動作、新支持動作を制御部により正確にコントロールすることも好適である。
【００４１】
なお、上述の実施の形態では、２つの群の支持装置を用いたが、支持装置群は２つに限定されるものではなく、後述の１群の支持装置のみで行う場合の他、３つの群、４の群など解体対象の規模に応じて、複数の群を用いることが可能である。
【００４２】
以上のように、本実施の形態によれば、ボイラ１０の解体作業の終了を待って、その後に支持構造物１２を別途解体するという手間が発生することがなく、解体作業を迅速に行うことができる。そして、解体除去作業が、ボイラ１０と支持構造物１２の下側部分から除去することにより行なわれ、この除去作業は地面（設置面１８）に近い位置での作業として行うことができる。このため、全工程において高所作業がほとんど発生しない。従って、解体作業の安全性が確保される。更に、ボイラ１０と支持構造物１２の除去工程で除去した部分の解体作業場からの運搬も、除去部を高い位置から降ろす必要がないので、容易な手段で行なうことができ、除去工程で除去した部分の迅速かつ安全な処理が達成される。
【００４３】
また、伸縮部４２ａを有する支持装置４２を使用することにより、支持工程における支持構造物１２の支持が、伸縮部４２ａを伸長させるという簡単な操作で行なわれる。そして、下降工程では、伸縮部４２ａを収縮させることにより、ボイラ１０と支持構造物１２を下降させることができる。このように、伸縮部４２ａが上下に動くだけで、ボイラ１０及び支持構造物１２の支持状態の形成と、下降工程を行なうことができ、敷地内のみでの作業として行うことができる。ここで、このような支持装置４２としては、リフトアップ工法やアップダウン工法に使用されるようなジャッキが例示される。
【００４４】
更に、本実施の形態によれば、ボイラ１０と支持構造物１２の支持の安定性が確保された状態で、支持装置４２や４４の群を用いた支持工程が複数回行われる。従って、支持装置４２等は、比較的小さな規模のものが使用可能となる。これにより、支持装置４２等の軽量化や、その運搬や設置が容易化も図られる。
【００４５】
図３（Ａ）、（Ｂ）は、本発明の他の実施の形態を説明した図である。ここで、図１（Ａ）、（Ｂ）に示した要素と同様の要素には同一の符号を付し、その説明を省略する。本実施の形態の特徴的なことは、１つの群の支持装置のみを用いて全ての工程を行っていることである。１群の支持装置４２（図においては、支持装置４２−１〜４２−８が示されている）が使用され、図１に示した２つのグループの支持装置を用いる場合に比べ、１群の支持装置の数は増加させている。
【００４６】
図３（Ａ）は、本実施の形態における支持工程を示した図である。先ず、切り離し工程の終了後、支持工程において、支持装置４２を設置地盤１８上に配置し、伸縮部４２ａを伸長させ、支持構造物１２の支持を開始する。ここで、本実施の形態でも、横梁２２−１と柱２０に図１（Ａ）に示したものと同様の除去部分１９を形成し、伸縮部４６ａを、横梁２２−２と柱２０の下端部に下方から押し当てて支持構造物１２の支持状態を形成している。そして、支持工程に続く除去工程により、ボイラ１０と支持構造物１２の梁２２−１より下方に位置する部位を除去し、下降工程に支持装置４２の最下降位置まで下降させる。
【００４７】
図３（Ｂ）は、支持工程に続く除去工程と下降工程が終了し、更なる作業を開始した状態が示されている。すなわち、新たな支持装置の群を設置するのではなく、現在支持動作を行っている支持装置４２の内の一部（支持装置４２−２）の支持する支持構造物１２の下部（梁２２−２の一部）を除去し、上述した除去部分１９を形成する部分除去作業を行う。
【００４８】
そして、支持装置４２−２の伸縮部４２ａを伸ばし、支持構造物１２を梁２２−３まで伸ばして下方から再度支持する再支持作業を行う。この再支持作業を支持装置４２−２以外の支持装置４２についても同様に、例えば一台づつ行なう。この様に１台ずつ、或いは所定の複数台ずつを支持状態のバランスを崩さないように、安定した状態で再指示させて行く。これを継続して、全ての支持装置４２について再支持作業を行った状態とする。その後は、上述した除去工程と下降工程を行うものであり、これらの１つの支持装置４２の群による各工程（除去工程、下降工程、再支持工程）の繰り返しで、全体の除去解体を行うことができる。
【００４９】
なお、本実施の形態の場合、比較的多数の支持装置が用いられているので、解体作業が進み、支持構造物１２及びボイラ１０の全重量が軽量化した段階では、徐々に最支持を行う支持装置４２の台数を減らしていくことも可能である。
【００５０】
以上の実施の形態の構成により、同一の小型の支持装置４２を使用して、ボイラ１０と支持構造物１２を下方からほぼ同時に解体することが可能となる。従って、種々の大きさのボイラと支持構造物の解体作業を容易、迅速に行なうことができる。
【００５１】
また、本発明の他の実施の形態として、図１（Ａ）に示した支持装置４２よりも伸長部の伸長長さが長い大型の支持装置を使用しても良い。これにより、一回の支持工程とこの支持工程に続いて行われる除去工程と下降工程とで除去できるボイラ１０等の高さ範囲が広くなり、解体作業の迅速化が図られる。また、比較的、支持構造物が小型でかつ、大型の支持装置を使用することができる場合、支持構造物１２の天井梁２６を直接支持しても良い。この大型の支持装置で天井梁２６を支持した状態で支持工程を行い、これに続いて除去工程と下降工程のみを繰り返して、全体構造の同時解体を行うことも可能である。
【００５２】
更に、本発明の他の実施の形態として、上述した除去工程において、ボイラ１０の未解体部分内部を負圧に設定することが、いわゆる「アスベスト対策」として好適である。ここで、ボイラ１０内部を負圧に設定する方法としては、ボイラ１０の開放部位を閉塞部材で閉塞し、更にボイラ１０の適当な位置に空気吸引用の配管を設け、ファン等で空気吸引用の配管を介してボイラ１０の内部空気を吸引することが例示される。
【００５３】
これにより、例えば除去工程においてガスバーナーを使用して火炉部３０を除去する時に、火炉部３０の外壁３８ａや内壁３８ｂを構成する金属やアスベストを含んだ耐火物の粉が噴出して周囲に飛散することなく、ボイラ１０の未解体部分内部に吸い込まれることとなる。従って、除去工程において、環境面での問題発生が確実に防止される。なお、ボイラ１０の開放部の閉塞方法としては、例えば、図１（Ｂ）に示した下降工程の際に、ボイラ１０（火炉３０）の除去後の下端部を設置面１８に接触するまで下降させ、これによりボイラ１０の開放部の一部を閉塞するようにしても良い。
【００５４】
また、除去工程の終了後、ボイラ１０の下端部が大きく開口した状態のときに、例えば、上述したファンの操作により、ボイラ内部の吸引力を更に強化し、金属粉や耐火物の飛散を防止することも可能であり、また、ビニールシート等の梱包物でボイラ１０の下端部を梱包して内部の耐火物等の飛散を防止するようにしても良い。
【００５５】
本発明は、上述の実施の形態に限定されるものではなく、本発明の要旨の範囲内で種々の変更が可能である。例えば、図１、２で示した実施の形態では伸縮部４２ａを有する支持装置４２を使用したがこれに限られるものではない。ジャッキの種類は図１、２に示した型のものに限られず、種々の型のジャッキを使用することができる。また、支持装置４２のみでボイラ１０と支持構造物１２とを確実に支持するために、支持構造物１２の必要な補強を除去工程の前に行っても良い。
【図面の簡単な説明】
【００５６】
【図１】本発明の実施の形態にかかるボイラ及び支持構造物の解体方法の手順を説明した図であり、（Ａ）は、最初に行なわれる工程である分離工程及び支持工程を説明した図、（Ｂ）は、次の支持工程を行なった状況を示している。
【図２】図１に示した実施の形態のボイラ及び支持構造物の解体方法の手順を引き続き説明した図であり、（Ａ）は、解体の途中段階での支持工程を行なった状態、（Ｂ）は、（Ａ）に示した状態から除去工程と下降工程とを行い、次の支持工程を行なった状態を示している。
【図３】本発明の他の実施の形態を説明した図であり、（Ａ）は、支持工程を示した図であり、（Ｂ）は、支持工程に続く除去工程と下降工程が終了し、更なる作業を行っている状態を示している。
【図４】火力発電所で使用されるボイラを示した説明図である。
【図５】火炉部を構成する火炉壁の構成を説明した図である。
【符号の説明】
【００５７】
１０  ボイラ
１２  支持構造物
１４  側部
１６  天井部
１８  設置面
１９  除去部分
２０  柱
２２  横梁
２６  天井梁
２８  吊り棒
３０  火炉部
３２  後伝部
３４  過熱器
３６  煙道
３８ａ  外壁
３８ｂ  内壁
３８ｃ  パイプ
４２、４４  支持装置
４２ａ、４４ａ  伸縮部
【図１】
2008088751.tif 000003
【図２】
2008088751.tif 000004
【図３】
2008088751.tif 000005
【図４】
2008088751.tif 000006
【図５】
2008088751.tif 000007
【手続補正書】
【提出日】平成18年12月6日(2006.12.6)
【手続補正１】
【補正対象書類名】特許請求の範囲
【補正対象項目名】請求項４
【補正方法】変更
【補正の内容】
【請求項４】
前記繰り返しにおける支持工程は、
前記支持を行なっている支持装置の内、一部の支持装置が支持している前記ボイラ及び前記支持構造物の下部部分を除去する部分除去作業と、
前記一部の支持装置の前記伸縮部を伸長させ、前記支持構造物を下方から再度支持する再支持作業と、を有し、
支持動作中の全ての支持装置の前記部分除去作業と再支持作業とが終了するまで部分除去作業と、再支持作業とを繰り返して行うことを特徴とする請求項１又は２の何れか１項に記載のボイラ及び支持構造物の解体方法。
【手続補正２】
【補正対象書類名】明細書
【補正対象項目名】００２１
【補正方法】変更
【補正の内容】
【００２１】
請求項４に記載のボイラ及び支持構造物の解体方法は、
前記繰り返しにおける支持工程は、前記支持を行なっている支持装置の内、一部の支持装置が支持している前記ボイラ及び前記支持構造物の下部部分を除去する部分除去作業と、前記一部の支持装置の前記伸縮部を伸長させ、前記支持構造物を下方から再度支持する再支持作業と、を有し、支持動作中の全ての支持装置の前記部分除去作業と再支持作業とが終了するまで部分除去作業と、再支持作業とを繰り返して行うことを特徴とする。
【手続補正書】
【提出日】平成19年3月19日(2007.3.19)
【手続補正１】
【補正対象書類名】特許請求の範囲
【補正対象項目名】請求項１
【補正方法】変更
【補正の内容】
【請求項１】
ボイラ及び鉄骨製の複数本の柱と該柱間を横方向に連結する鉄骨製の複数段の横梁を主たる構成要素とし、前記ボイラを内部で吊り下げて支持する支持構造物を解体する方法において、
前記支持構造物及び前記ボイラと、前記支持構造物の周囲に設置された配置物との間の結合部を切り離し、前記ボイラ及び前記支持構造物を前記配置物から分離する分離工程と、
前記支持構造物を前記柱と前記横梁の所定の高さ位置でそれぞれ支持する支持高さ位置調整可能な複数の支持装置を設置することにより、前記ボイラ及び前記支持構造物を下方から支持する支持工程と、
該支持工程による支持状態を維持しつつ、前記ボイラ及び前記支持構造物の前記支持装置の支持高さ位置より下方部分を除去する除去工程と、
該除去工程終了後、前記支持装置による前記ボイラ及び前記支持構造物の支持高さ位置を下降させる下降工程と、を備え、
前記支持工程と前記除去工程と前記下降工程とを繰り返し、前記ボイラ及び前記支持構造物をその下側から順次除去して解体することを特徴とするボイラ及び支持構造物の解体方法。
【手続補正２】
【補正対象書類名】明細書
【補正対象項目名】００１５
【補正方法】変更
【補正の内容】
【００１５】
上記目的を達成するため、請求項１に記載のボイラ及び支持構造物の解体方法は、
ボイラ及び鉄骨製の複数本の柱と該柱間を横方向に連結する鉄骨製の複数段の横梁を主たる構成要素とし、前記ボイラを内部で吊り下げて支持する支持構造物を解体する方法において、前記支持構造物及び前記ボイラと、前記支持構造物の周囲に設置された配置物との間の結合部を切り離し、前記ボイラ及び前記支持構造物を前記配置物から分離する分離工程と、前記支持構造物を前記柱と前記横梁の所定の高さ位置でそれぞれ支持する支持高さ位置調整可能な複数の支持装置を設置することにより、前記ボイラ及び前記支持構造物を下方から支持する支持工程と、該支持工程による支持状態を維持しつつ、前記ボイラ及び前記支持構造物の前記支持装置の支持高さ位置より下方部分を除去する除去工程と、該除去工程終了後、前記支持装置による前記ボイラ及び前記支持構造物の支持高さ位置を下降させる下降工程と、を備え、前記支持工程と前記除去工程と前記下降工程とを繰り返し、前記ボイラ及び前記支持構造物をその下側から順次除去して解体することを特徴とする。
【手続補正書】
【提出日】平成19年7月2日(2007.7.2)
【手続補正１】
【補正対象書類名】特許請求の範囲
【補正対象項目名】請求項１
【補正方法】変更
【補正の内容】
【請求項１】
鉄骨製の複数本の柱と該柱間を横方向に連結する鉄骨製の複数段の横梁を主たる構成要素とする支持構造物の内部で吊り下げられて支持されたボイラを解体する方法において、
前記支持構造物及び前記ボイラと、前記支持構造物の周囲に設置された配置物との間の結合部を切り離し、前記ボイラ及び前記支持構造物を前記配置物から分離する分離工程と、
前記支持構造物を前記柱と前記横梁の所定の高さ位置でそれぞれ支持する支持高さ位置調整可能な複数の支持装置を設置することにより、前記ボイラ及び前記支持構造物を下方から支持する支持工程と、
該支持工程による支持状態を維持しつつ、前記ボイラ及び前記支持構造物の前記支持装置の支持高さ位置より下方部分を除去する除去工程と、
該除去工程終了後、前記支持装置による前記ボイラ及び前記支持構造物の支持高さ位置を下降させる下降工程と、を備え、
前記支持工程と前記除去工程と前記下降工程とを繰り返し、前記ボイラ及び前記支持構造物をその下側から順次除去して解体することを特徴とするボイラ及び支持構造物の解体方法。
【手続補正２】
【補正対象書類名】明細書
【補正対象項目名】００１５
【補正方法】変更
【補正の内容】
【００１５】
上記目的を達成するため、請求項１に記載のボイラ及び支持構造物の解体方法は、
鉄骨製の複数本の柱と該柱間を横方向に連結する鉄骨製の複数段の横梁を主たる構成要素とする支持構造物の内部で吊り下げられて支持されたボイラを解体する方法において、前記支持構造物及び前記ボイラと、前記支持構造物の周囲に設置された配置物との間の結合部を切り離し、前記ボイラ及び前記支持構造物を前記配置物から分離する分離工程と、前記支持構造物を前記柱と前記横梁の所定の高さ位置でそれぞれ支持する支持高さ位置調整可能な複数の支持装置を設置することにより、前記ボイラ及び前記支持構造物を下方から支持する支持工程と、該支持工程による支持状態を維持しつつ、前記ボイラ及び前記支持構造物の前記支持装置の支持高さ位置より下方部分を除去する除去工程と、該除去工程終了後、前記支持装置による前記ボイラ及び前記支持構造物の支持高さ位置を下降させる下降工程と、を備え、前記支持工程と前記除去工程と前記下降工程とを繰り返し、前記ボイラ及び前記支持構造物をその下側から順次除去して解体することを特徴とする。